(57)【要約】【課題】交通機関の乗り換え時に必要な情報を、利用者に負担をかけず入手すること。【解決手段】ＩＣカード２００の表面には、たとえば電子ペーパーにより構成された表示画面２０１が、設けられている。表示画面２０１には、利用者が行こうとする目的地点までの経路の詳細情報が、表示されている。表示画面２０１には、地図情報３００を表示されており、点線矢印は、利用者が次に経由する乗降地点までの進むべき経路を示している。【選択図】図３
2010157063.tif 000002
【特許請求の範囲】
【請求項１】
利用者が乗降する交通機関の乗降地点の入場口または退場口に設けられた通信装置と通信をおこなうコンピュータを、
前記乗降地点を経由する経路内の乗降地点群の各退場口に設けられた通信装置群のうち前記コンピュータが通信圏内にある現在の乗降地点の退場口に設けられた通信装置と前記コンピュータとが通信することにより、前記利用者が前記現在の乗降地点の退場口から退場したことを検出する検出手段、
前記検出手段によって前記現在の乗降地点から退場したことが検出された場合、前記経路内の乗降地点群の中から前記現在の乗降地点の次に経由する次の乗降地点を特定する特定手段、
前記現在の乗降地点の退場口に設けられた通信装置と前記コンピュータとが通信することにより、前記現在の乗降地点から前記特定手段によって特定された次の乗降地点までの経路をあらわす地図情報を取得する取得手段、
前記コンピュータの表示画面を制御することにより、前記取得手段によって取得された前記現在の乗降地点から前記次の乗降地点までの経路をあらわす地図情報を表示する表示制御手段、
として機能させることを特徴とする情報表示プログラム。
【請求項２】
前記取得手段は、
前記現在の乗降地点から前記次の乗降地点の間に存在する地点間通信装置群のうち前記コンピュータが通信圏内にある特定の地点間通信装置と前記コンピュータとが通信することにより、前記特定の地点間通信装置の位置における前記利用者の進行方向に関する情報を取得し、
前記表示制御手段は、
前記表示画面を制御することにより、前記取得手段によって取得された進行方向に関する情報を表示することを特徴とする請求項１に記載の情報表示プログラム。
【請求項３】
前記コンピュータを、
前記取得手段によって取得された情報を前記コンピュータ内のメモリから消去する消去手段として機能させ、
前記取得手段は、
前記現在の乗降地点から前記次の乗降地点までの経路をあらわす地図情報に先立って、前記現在の乗降地点の前に経由した前の乗降地点から前記現在の乗降地点までの経路をあらわす地図情報を取得し、
前記消去手段は、
前記現在の乗降地点から前記次の乗降地点までの経路をあらわす地図情報が前記表示画面に表示される前に、前記前の乗降地点から前記現在の乗降地点までの経路をあらわす地図情報を前記メモリから消去することを特徴とする請求項１または２に記載の情報表示プログラム。
【請求項４】
利用者が乗降する交通機関の乗降地点の入場口または退場口に設けられた通信装置と通信をおこなう情報表示装置であって、
前記乗降地点を経由する経路内の乗降地点群の各退場口に設けられた通信装置群のうち前記コンピュータが通信圏内にある現在の乗降地点の退場口に設けられた通信装置と前記コンピュータとが通信することにより、前記利用者が前記現在の乗降地点の退場口から退場したことを検出する検出手段と、
前記検出手段によって前記現在の乗降地点から退場したことが検出された場合、前記経路内の乗降地点群の中から前記現在の乗降地点の次に経由する次の乗降地点を特定する特定手段と、
前記現在の乗降地点の退場口に設けられた通信装置と前記コンピュータとが通信することにより、前記現在の乗降地点から前記特定手段によって特定された次の乗降地点までの経路をあらわす地図情報を取得する取得手段と、
前記コンピュータの表示画面を制御することにより、前記取得手段によって取得された前記現在の乗降地点から前記次の乗降地点までの経路をあらわす地図情報を表示する表示制御手段と、
を備えることを特徴とする情報表示装置。
【請求項５】
前記情報表示装置は、前記表示画面にバックライトを使用していないカード型の携帯端末であることを特徴とする請求項４に記載の情報表示装置。
【請求項６】
前記情報表示装置は、前記表示画面の少なくとも一部にタッチ式パネルを搭載しているカード型携帯端末であることを特徴とする請求項４または５に記載の情報表示装置。
【請求項７】
前記情報表示装置は、電話機能、電子メール機能、Ｗｅｂブラウザ機能、ゲーム機能、動画再生機能のうち少なくともいずれか一つの機能を有する携帯端末であることを特徴とする請求項４に記載の情報表示装置。
【請求項８】
利用者が乗降する交通機関の乗降地点の入場口または退場口に設けられた通信装置と通信をおこなうコンピュータが、
前記乗降地点を経由する経路内の乗降地点群の各退場口に設けられた通信装置群のうち前記コンピュータが通信圏内にある現在の乗降地点の退場口に設けられた通信装置と前記コンピュータとが通信することにより、前記利用者が前記現在の乗降地点の退場口から退場したことを検出する検出工程と、
前記検出工程によって前記現在の乗降地点から退場したことが検出された場合、前記経路内の乗降地点群の中から前記現在の乗降地点の次に経由する次の乗降地点を特定する特定工程と、
前記現在の乗降地点の退場口に設けられた通信装置と前記コンピュータとが通信することにより、前記現在の乗降地点から前記特定工程によって特定された次の乗降地点までの経路をあらわす地図情報を取得する取得工程と、
前記コンピュータの表示画面に、前記取得工程によって取得された前記現在の乗降地点から前記次の乗降地点までの経路をあらわす地図情報を表示する表示工程と、
を実行することを特徴とする情報表示方法。
【発明の詳細な説明】
【技術分野】
【０００１】
この発明は、情報表示や情報提供をおこなう情報表示プログラム、情報表示装置、情報表示方法、情報提供プログラム、情報提供装置、および情報提供方法に関する。
【背景技術】
【０００２】
従来から、設置型端末や電車内、交通機関の施設から情報を得たり、乗車券付ＩＣカードから乗車履歴を読み取って交通費の精算や移動履歴を管理したりする技術が開示されている（たとえば、下記特許文献１〜３を参照。）。
【０００３】
【特許文献１】特開２００８−１１７１５４号公報
【特許文献２】特開２００４−４８１９３号公報
【特許文献３】特開平１０−３１４１８号公報
【発明の開示】
【発明が解決しようとする課題】
【０００４】
しかしながら、上述した従来技術では、ＧＰＳが利用できないような場所では、利用者は経路探索ができず、また、利用者への経路誘導もできないという問題がある。また、経路探索や経路誘導ができたとしても、経路探索や経路誘導の操作入力を利用者に強いることとなり、利便性に問題がある。また、交通機関の乗り換えをする場合、初めて訪れる場所や経路が複雑な場所では、迷ってしまい、乗り換えがうまくいかないという問題がある。
【０００５】
この発明は、上述した従来技術による問題点を解消するため、交通機関の乗り換え時に必要な情報を、利用者に負担をかけず入手することができる情報表示プログラム、情報表示装置、および情報表示方法を提供することを目的とする。また、交通機関の乗り換え時に必要な情報を、利用者に負担をかけさせずに提供することができる情報提供プログラム、情報提供装置、および情報提供方法を提供することを目的とする。
【課題を解決するための手段】
【０００６】
上述した課題を解決し、目的を達成するため、本開示技術の情報表示プログラム、情報表示装置、および情報表示方法は、利用者が乗降する交通機関の乗降地点の入場口または退場口に設けられた通信装置と通信をおこなう情報表示プログラム、情報表示装置、および情報表示方法であって、前記乗降地点を経由する経路内の乗降地点群の各退場口に設けられた通信装置群のうち通信圏内にある現在の乗降地点の退場口に設けられた通信装置と通信することにより、前記利用者が前記現在の乗降地点の退場口から退場したことを検出し、前記現在の乗降地点から退場したことが検出された場合、前記経路内の乗降地点群の中から前記現在の乗降地点の次に経由する次の乗降地点を特定し、前記現在の乗降地点の退場口に設けられた通信装置と通信することにより、前記現在の乗降地点から前記特定手段によって特定された次の乗降地点までの経路をあらわす地図情報を取得し、表示画面を制御することにより、取得された前記現在の乗降地点から前記次の乗降地点までの経路をあらわす地図情報を表示することを要件とする。
【０００７】
また、本開示技術の情報提供プログラム、情報提供装置、および情報提供方法は、利用者が乗降する交通機関の乗降地点の入場口または退場口に設けられ、前記利用者が所持する携帯端末と通信をおこなう情報提供プログラム、情報提供装置、および情報提供方法であって、前記乗降地点から当該乗降地点の近隣に存在する他の乗降地点までの経路をあらわす地図情報を前記他の乗降地点ごとに記憶しており、通信圏内の前記携帯端末と通信することにより、前記利用者が前記乗降地点の退場口から退場したことを検出し、前記利用者が退場したことが検出された場合、前記携帯端末と通信することにより、前記利用者が次に経由する乗降地点に関する情報を取得し、前記次に経由する乗降地点に関する情報に基づいて、記憶されている地図情報の中から、前記乗降地点から前記次に経由する乗降地点までの経路をあらわす地図情報を抽出し、前記携帯端末と通信することにより、抽出された前記乗降地点から前記次に経由する乗降地点までの経路をあらわす地図情報を前記携帯端末に送信することを要件とする。
【発明の効果】
【０００８】
本開示技術の情報表示プログラム、情報表示装置、および情報表示方法によれば、交通機関の乗り換え時に必要な情報を、利用者に負担をかけず入手することができるという効果を奏する。また、本開示技術の情報提供プログラム、情報提供装置、および情報提供方法によれば、交通機関の乗り換え時に必要な情報を、利用者に負担をかけさせずに提供することができるという効果を奏する。
【発明を実施するための最良の形態】
【０００９】
以下に添付図面を参照して、情報表示プログラム、情報表示装置、情報表示方法、情報提供プログラム、情報提供装置、および情報提供方法の好適な実施の形態を詳細に説明する。
【００１０】
（経路の概要）
図１は、経路の概要を示す説明図である。図１中、丸印のノードは、利用者が乗降する駅、停留所、空港、港などの交通機関の乗降地点Ｐ＃（＃は番号）を示しており、ノード間のリンクは、乗降地点Ｐ＃間の路線を示している。ここでは、乗降地点Ｐ１を出発地点、乗降地点Ｐ２〜Ｐ５を経由地点、乗降地点Ｐ６を目的地点とする経路を経路Ｒとする。なお、経路Ｒ外の乗降地点Ｐ７は、乗降地点Ｐ２，Ｐ３の近隣（たとえば、徒歩圏内）に存在する乗降地点である。同様に、乗降地点Ｐ８も、乗降地点Ｐ４，Ｐ５の近隣（たとえば、徒歩圏内）に存在する乗降地点である。
【００１１】
経路Ｒどおりに利用者が行動する場合、乗降地点Ｐ２，Ｐ３間や乗降地点Ｐ４，Ｐ５間で交通機関の乗り換えが発生する。乗降地点Ｐ２（またはＰ４）から乗降地点Ｐ３（またはＰ５）までの実際の経路がわからないと、乗降地点Ｐ３（またはＰ５）にたどり着けないこととなる。また、携帯電話機のＧＰＳ（Ｇｌｏｂａｌ  Ｐｏｓｉｔｉｏｎｉｎｇ  Ｓｙｓｔｅｍ）を利用した位置情報サービスでは、地下鉄や施設内などＧＰＳが利用できない（またはしにくい）場所では、乗降地点Ｐ２（またはＰ４）から乗降地点Ｐ３（またはＰ５）までの実際の経路がわからないこととなる。
【００１２】
本実施の形態では、交通機関の乗り換えが生じる乗降地点Ｐ２，Ｐ３間のエリアＡ１や乗降地点Ｐ４，Ｐ５間のエリアＡ２の地図情報を、利用者が操作することなく、入手することができる情報表示や情報提供をおこなう。
【００１３】
（ＩＣカード）
図２は、本実施の形態にかかるＩＣ（Ｉｎｔｅｇｒａｔｅｄ  Ｃｉｒｃｕｉｔ）カードを示す説明図である。ＩＣカード２００の表面には、たとえば電子ペーパーにより構成された表示画面２０１が設けられている。図２では、表示画面２０１には、利用者が行こうとする目的地点までの経路Ｒの詳細情報が表示されている。ここで、図２の表示画面２０１中、バス停：「学園前」が乗降地点Ｐ１に相当する。また、バス停：「中原駅」が乗降地点Ｐ２に相当する。また、地下鉄：「中原駅」が乗降地点Ｐ３に相当する。また、地下鉄：「富士駅」が乗降地点Ｐ４に相当する。また、バス停：「富士駅」が乗降地点Ｐ５に相当する。また、バス停：「武蔵団地」が乗降地点Ｐ６に相当する。
【００１４】
経路ＲのＩＣカード２００への入力は、利用者のパーソナル・コンピュータ（不図示）を利用して検索された経路ＲをＩＣカード２００に書き込むこととしてもよく、交通機関に用意された端末を利用して検索された経路ＲをＩＣカード２００に書き込むこととしてもよい。また、ＩＣカード２００は、既存の非接触型ＩＣカード２００と同様、駅の自動改札機やバスの精算機と非接触通信をおこなって、料金の精算をおこなうことができるデバイスである。
【００１５】
図３および図４は、本実施の形態にかかるＩＣカード２００に表示される地図情報の一例を示す説明図である。図３では、図１に示したエリアＡ１の地図情報３００を表示しており、図４では、図１に示したエリアＡ２の地図情報４００を表示している。なお、図３の地図情報中、星印は利用者の降車位置を示しており、点線矢印は、利用者が次に経由する乗降地点までの進むべき経路を示している。
【００１６】
（ハードウェア構成）
図５は、本実施の形態にかかるＩＣカード２００のハードウェア構成を示すブロック図である。図５において、ＩＣカード２００は、ＣＰＵ（Ｃｅｎｔｒａｌ  Ｐｒｏｃｅｓｓｉｎｇ  Ｕｎｉｔ）５０１とメモリ５０２と通信Ｉ／Ｆ（インターフェース）５０３と電子ペーパー５０４とがバス５０５に接続されて構成されている。ＣＰＵ５０１はＩＣカード２００の全体の制御を司る。メモリ５０２は、ＲＯＭ（Ｒｅａｄ‐Ｏｎｌｙ  Ｍｅｍｏｒｙ）、ＲＡＭ（Ｒａｎｄｏｍ  Ａｃｃｅｓｓ  Ｍｅｍｏｒｙ）、フラッシュメモリなどにより構成されており、各種プログラムや情報を記憶する。バッテリー５０６は上記ＩＣカード２００に電力供給を行う。
【００１７】
また、ＣＰＵ５０１のワークエリアとしても使用される。通信Ｉ／Ｆ５０３は、外部装置とのデータの送受信を制御する。電子ペーパー５０４は、図２〜図４に示した表示画面２０１を有し、メモリ５０２に保存された情報を表示する。なお、電子ペーパー５０４に限らず、透過型液晶や有機ＥＬ（Ｅｌｅｃｔｒｏ−Ｌｕｍｉｎｅｓｃｅｎｃｅ）ディスプレイを用いてもよい。
【００１８】
図６は、本実施の形態にかかるＩＣカード２００の通信相手となる通信装置のハードウェア構成を示すブロック図である。通信装置６００は、乗降地点Ｐ１〜Ｐ６の入場口や退場口に設けられる通信機器である。たとえば、乗降地点が駅である場合には、自動改札機に内蔵され、乗降地点がバス（車内）やバス停である場合には、バスの精算機内に内蔵される。その他、利用者の利用シーンに応じて乗降地点に設置することができる。
【００１９】
図６において、通信装置６００は、ＣＰＵ６０１とメモリ６０２と通信Ｉ／Ｆ６０３とがバス６０５に接続されて構成されている。ＣＰＵ６０１は通信装置６００の全体の制御を司る。メモリ６０２は、ＲＯＭ、ＲＡＭ、フラッシュメモリなどにより構成されており、各種プログラムや情報を記憶する。また、ＣＰＵ６０１のワークエリアとしても使用される。通信Ｉ／Ｆ６０３は、ＩＣカード２００とのデータの送受信を制御する。
【００２０】
（ＩＣカード２００の機能的構成）
図７は、本実施の形態にかかるＩＣカード２００の機能的構成を示すブロック図である。ＩＣカード２００は、検出部７０１と、特定部７０２と、取得部７０３と、表示部７０４と、表示制御部７０５と、消去部７０６と、を含む構成である。検出部７０１、特定部７０２、取得部７０３、表示制御部７０５および消去部７０６は、具体的には、たとえば、図５に示したメモリ５０２に記憶されたプログラムをＣＰＵ５０１に実行させることにより、または、通信Ｉ／Ｆ５０３によりその機能を実現する。また、表示部７０４は、図５に示した電子ペーパー５０４などの表示デバイスによりその機能を実現する。
【００２１】
検出部７０１は、乗降地点Ｐ１〜Ｐ６を経由する経路Ｒ内の乗降地点群Ｐ１〜Ｐ６の各退場口に設けられた通信装置６００群のうちコンピュータが通信圏内にある現在の乗降地点の退場口に設けられた通信装置６００とＩＣカード２００とが通信することにより、利用者が現在の乗降地点の退場口から退場したことを検出する機能を有する。
【００２２】
具体的には、たとえば、乗降地点Ｐ２に着目すると、乗降地点Ｐ２の通信装置６００はバス内の精算機に内蔵されているため、降車時の精算の際の乗降地点Ｐ２の通信装置６００との非接触通信により、利用者が乗降地点Ｐ２から退場（バスから降りる）したことを検出することとなる。また、乗降地点Ｐ４に着目すると、乗降地点Ｐ４の通信装置６００は、地下鉄富士駅の自動改札機に内蔵されているため、自動改札機からの退場の際の非接触通信により、利用者が乗降地点Ｐ４から退場（富士駅の自動改札口から出る）したことを検出することとなる。
【００２３】
また、特定部７０２は、検出部７０１によって現在の乗降地点から退場したことが検出された場合、経路Ｒ内の乗降地点群Ｐ１〜Ｐ６の中から現在の乗降地点の次に経由する次の乗降地点を特定する機能を有する。具体的には、たとえば、乗降地点Ｐ２に着目すると、乗降地点Ｐ２から退場したことが検出されると、ＩＣカード２００は、メモリ５０２に保存されている経路Ｒから乗降地点Ｐ２の次に経由する乗降地点Ｐ３を読み出す。
【００２４】
取得部７０３は、現在の乗降地点の退場口に設けられた通信装置６００と通信することにより、現在の乗降地点から特定部７０２によって特定された次の乗降地点までの経路をあらわす地図情報を取得する機能を有する。具体的には、たとえば、降車時または自動改札退場時に通信装置６００と非接触通信をおこなうことにより、特定部７０２によって特定された次の乗降地点の地点情報（次地点情報）を通信装置６００に送信する。
【００２５】
これにより、通信装置６００では、現在の乗降地点の地点情報（現地点情報）と次地点情報とのセットを手がかりとして、メモリ５０２内の地図情報群の中から、現在の乗降地点から次の乗降地点までの経路をあらわす地図情報を抽出する。そして、ＩＣカード２００は、抽出された地図情報を非接触通信により受信する。たとえば、現在の乗降地点が乗降地点Ｐ２である場合、図３に示した地図情報３００が取得され、現在の乗降地点が乗降地点Ｐ４である場合、図４に示した地図情報４００が取得される。
【００２６】
表示制御部７０５は、ＩＣカード２００の表示画面２０１（表示部７０４）を制御することにより、取得部７０３によって取得された現在の乗降地点から次の乗降地点までの経路をあらわす地図情報を表示する機能を有する。具体的には、たとえば、取得部７０３によって取得された地図情報を表示画面２０１に描画する。たとえば、現在の乗降地点が乗降地点Ｐ２である場合、図３に示した地図情報３００が表示画面２０１に表示され、現在の乗降地点が乗降地点Ｐ４である場合、図４に示した地図情報４００が表示画面２０１に表示される。
【００２７】
また、消去部７０６は、取得部７０３によって取得された情報をコンピュータ内のメモリ５０２から消去する機能を有する。具体的には、たとえば、取得部７０３が現在の乗降地点から次の乗降地点までの経路をあらわす地図情報に先立って、現在の乗降地点の前に経由した前の乗降地点から現在の乗降地点までの経路をあらわす地図情報を取得していたとする。この場合、消去部７０６は、現在の乗降地点から次の乗降地点までの経路をあらわす地図情報が表示画面２０１に表示される前に、前の乗降地点から現在の乗降地点までの経路をあらわす地図情報をメモリ５０２から消去する。
【００２８】
より具体的には、図４に示した地図情報４００が表示される前に図３に示した地図情報３００をメモリ５０２から消去する。消去するタイミングは、現在の乗降地点への入場が検出されたときでもよく、現在の乗降地点からの退場が検出されたときでもよい。これにより、地図情報は１つ保存されていればよく、省メモリ化を図ることができる。
【００２９】
（通信装置６００の機能的構成）
図８は、本実施の形態にかかる通信装置６００の機能的構成を示すブロック図である。通信装置６００は、記憶部８０１と、検出部８０２と、取得部８０３と、抽出部８０４と、送信部８０５とを含む構成である。記憶部８０１は、図６に示したメモリ５０２によりその機能を実現する。また、検出部８０２と取得部８０３と抽出部８０４と送信部８０５は、図６に示したメモリ６０２に記憶されたプログラムをＣＰＵ６０１に実行させることにより、または、通信Ｉ／Ｆ６０３によりその機能を実現する。
【００３０】
記憶部８０１は、乗降地点から当該乗降地点の近隣に存在する他の乗降地点までの経路をあらわす地図情報を他の乗降地点ごとに記憶する機能を有する。具体的には、たとえば、通信装置６００のメモリ６０２が、図３や図４に示した地図情報３００，４００を記憶する。
【００３１】
検出部８０２は、通信装置６００の通信圏内の携帯端末と通信することにより、利用者が乗降地点の退場口から退場したことを検出する機能を有する。具体的には、たとえば、ＩＣカード２００との非接触通信により、入場記録のあるＩＣカード２００から入場記録の情報を受信することにより退場したことを検出する。
【００３２】
取得部８０３は、検出部８０２によって利用者が退場したことが検出された場合、携帯端末と通信することにより、利用者が次に経由する乗降地点に関する情報を取得する機能を有する。具体的には、たとえば、ＩＣカード２００との非接触通信により、ＩＣカード２００から次地点情報を受信する。
【００３３】
抽出部８０４は、取得部８０３によって取得された次に経由する乗降地点に関する情報に基づいて、記憶部８０１に記憶されている地図情報の中から、乗降地点から取得部８０３によって取得された次に経由する乗降地点までの経路をあらわす地図情報を抽出する機能を有する。具体的には、たとえば、ＩＣカード２００との非接触通信により、現地点情報と次地点情報とのセットを受信する。そして、メモリ６０２内の地図情報群の中から、現在の乗降地点から次の乗降地点までの経路をあらわす地図情報を抽出する。
【００３４】
たとえば、通信装置６００が乗降地点Ｐ２の退場口にある通信装置６００である場合、通信装置６００は、ＩＣカード２００から現時点情報として乗降地点Ｐ２の地点情報を受信し、次地点情報として乗降地点Ｐ３の地点情報を受信する。通信装置６００のメモリ６０２には、現時点情報および次地点情報のセットが地図情報にリンクして記憶されているため、現時点情報（Ｐ２）と次地点情報（Ｐ３）のセットにリンクする地図情報をメモリ６０２から抽出する。
【００３５】
送信部８０５は、ＩＣカード２００との非接触通信により、抽出部８０４によって抽出された乗降地点から次に経由する乗降地点までの経路をあらわす地図情報をＩＣカード２００に送信する機能を有する。この送信により、抽出された地図情報がＩＣカード２００のメモリ５０２に書き込まれ、ＩＣカード２００の表示画面２０１に地図情報が表示される。これにより、利用者は、退場する際の通信装置６００とＩＣカード２００との非接触通信により、次に経由する乗降地点までの地図情報を得ることができるため、特別な操作をすることなく、シームレスに次に経由する乗降地点までの経路を知ることができる。
【００３６】
（通信装置６００とＩＣカード２００とのシーケンス）
図９は、本実施の形態にかかる通信装置６００とＩＣカード２００とのシーケンスを示す説明図である。本シーケンスにおいて、利用者が入場する移動元の乗降地点における通信装置６００を通信装置６００Ａとしてシーケンスの左側に処理手順を示す。同様に、利用者が退場する移動先の乗降地点における通信装置６００を通信装置６００Ｂとし、シーケンスの右側に処理手順を示す。
【００３７】
まず、ＩＣカード２００では、利用者の経路を取得してメモリ５０２に書き込んでおき（ステップＳ９０１）、通信装置６００Ａが、通信装置６００Ａの通信圏内にＩＣカード２００があることを検出すると（ステップＳ９０２）、通信装置６００Ａは、入場情報（たとえば、入場時刻や乗車駅、初乗り運賃）をＩＣカード２００に送信する（ステップＳ９０３）。
【００３８】
ＩＣカード２００は、入場情報を受信することでＩＣカード２００の利用者が入場したことを検出し、入場情報をメモリ５０２に書き込む（ステップＳ９０４）。このとき、メモリ５０２内にすでに保存されている地図情報がある場合にはその地図情報を消去する（ステップＳ９０５）。これにより、退場時に取得する地図情報の保存領域を確保することができ、省メモリ化を図ることができる。
【００３９】
このあと、ＩＣカード２００を所持する利用者は、通信装置６００Ａがある乗降地点の交通機関を利用して、通信装置６００Ｂがある乗降地点に到着する。そして、通信装置６００Ｂがある乗降地点の退場口から退場するときに、通信装置６００Ｂが、通信装置６００Ｂの通信圏内にＩＣカード２００があることを検出すると（ステップＳ９０６）、退場情報（たとえば、退場時刻や降車駅、乗車駅から降車駅までの運賃）をＩＣカード２００に送信する（ステップＳ９０７）。
【００４０】
ＩＣカード２００は、退場情報を受信することでＩＣカード２００の利用者が退場したことを検出し、退場情報をメモリ５０２に書き込む（ステップＳ９０８）。このとき、メモリ５０２内の電子マネーから乗車駅から降車駅までの運賃に相当する金額が引かれる。ＩＣカード２００は、退場検出により、メモリ５０２に保存されている経路から次地点情報を抽出する（ステップＳ９０９）。具体的には、退場した乗降地点の次に経由する乗降地点の地点情報を読み出す。そして、次地点情報を通信装置６００Ｂに送信する（ステップＳ９１０）。
【００４１】
通信装置６００Ｂは、次地点情報を受信すると、通信装置６００Ｂがある乗降地点の地点情報と受信された次地点情報のセットに関連付けされた地図情報を、メモリ６０２から抽出する（ステップＳ９１１）。そして、通信装置６００Ｂは、抽出された地図情報をＩＣカード２００に送信する（ステップＳ９１２）。
【００４２】
ＩＣカード２００は、送信されてきた地図情報を受信してメモリ５０２に保存する（ステップＳ９１３）。そして、保存された地図情報を電子ペーパー５０４に表示する（ステップＳ９１４）。このように、図９に示したシーケンスによれば、利用者は、乗降地点の退場および運賃精算時における通信装置６００Ｂとの通信により、現在の乗降地点（降車した乗降地点）から次に経由する乗降地点までの地図情報が得られることとなる。
【００４３】
これにより、利用者は、自ら地図情報を取得する操作をすることなく、退場するという行動のみで行き先までの経路を確認することができる。また、地図情報を無制限に配信するのではなく、前回の地図情報は不要になった時点で消去されるため、内蔵するメモリ５０２の大容量化、ひいては、ＩＣカード２００のサイズの拡大化を防止することができる。
【００４４】
また、上述した実施の形態では、乗降地点の退場口にある通信装置６００から、退場口の乗降地点から次に経由する乗降地点までの経路をあらわす地図情報を受信して、ＩＣカード２００に表示させることとしている。この場合、さらに、退場口の乗降地点から次に経由する乗降地点までの経路を進行する利用者に対し、当該経路の進行途中で進行方向を示す情報（進行方向情報）を配信し、ＩＣカード２００に表示させることとしてもよい。
【００４５】
図１０は、本実施の形態にかかる退場口の乗降地点から次に経由する乗降地点までの経路をあらわす地図を示す説明図である。図１０の地図は、図３に示した地図情報に対応している。符号１００１〜１００３は、退場口の乗降地点から次に経由する乗降地点までの経路上に点在する通信装置である。本実施の形態では、乗降地点の入場口または退場口の通信装置６００と区別するため、「地点間通信装置」と称す。
【００４６】
地点間通信装置１００１〜１００３は、利用者が乗降する駅、停留所、空港、港などの交通機関の乗降地点群のうち近隣の乗降地点間に設けられ、利用者が所持する携帯端末と通信をおこなう。ここで、近隣とは、利用者の徒歩圏内で移動できる範囲をいい、具体的には、たとえば、鉄道の場合は１駅区間内、バスの場合は、１〜２，３箇所の停留所の範囲内をいう。
【００４７】
図１０では、地点間通信装置１００１〜１００３は、経路上に３台備えられている。地点間通信装置１００１〜１００３は、ＩＣカード２００が通信圏内に入ってくると、非接触通信により進行方向情報をＩＣカード２００に送信する。ＩＣカード２００は、進行方向情報を受信すると、受信された進行方向情報をＩＣカード２００の表示画面２０１に表示させる。
【００４８】
図１１および図１２は、本実施の形態にかかるＩＣカード２００の表示画面２０１に表示された進行方向情報を示す説明図である。図１１では、地点間通信装置１００１，１００２から送信されてきた進行方向情報１１００を表示しており、図１２では、地点間通信装置１００３から送信されてきた進行方向情報１２００を表示している。
【００４９】
（地点間通信装置１００１〜１００３の機能的構成）
つぎに、地点間通信装置１００１〜１００３の機能的構成について説明する。なお、地点間通信装置１００１〜１００３のハードウェア構成は、図６と同一構成であるため、説明を省略する。
【００５０】
図１３は、本実施の形態にかかる地点間通信装置１００１〜１００３の機能的構成を示すブロック図である。地点間通信装置１００１〜１００３は、取得部１３０１と特定部１３０２と送信部１３０３とを含む構成である。取得部１３０１と特定部１３０２と送信部１３０３は、図６に示したメモリ６０２に記憶されたプログラムをＣＰＵ６０１に実行させることにより、または、通信Ｉ／Ｆ６０３によりその機能を実現する。
【００５１】
取得部１３０１は、地点間通信装置１００１〜１００３の通信圏内にある携帯端末と通信をおこなうことにより、近隣の乗降地点のうち利用者が退場した乗降地点および利用者が次に入場する乗降地点に関する情報を取得する機能を有する。具体的には、たとえば、利用者が所持するＩＣカード２００が地点間通信装置１００１〜１００３の通信圏内に進入した場合、地点間通信装置１００１〜１００３とＩＣカード２００との非接触通信により、退場した乗降地点の地点情報（退場地点情報）と次地点情報をＩＣカード２００から受信する。
【００５２】
特定部１３０２は、取得部１３０１によって取得された情報に基づいて、地点間通信装置１００１〜１００３の通信圏内にある携帯端末の現在位置から入場する乗降地点へ向かう進行方向情報を特定する機能を有する。具体的には、たとえば、受信された現地点情報と次地点情報との組み合わせにより、地点間通信装置１００１〜１００３を通過するときの利用者の進行方向がわかる。
【００５３】
たとえば、図３の例では、地点間通信装置１００１に着目すると、退場地点情報（バス停：中原駅）から次地点情報（地下鉄：中原駅）へ向かっているため、図１１に示したように、右折を促す進行方向情報となる。これとは逆に、退場地点情報（地下鉄：中原駅）から次地点情報（バス停：中原駅）へ向っている場合には、左折を促す進行方向情報となる。このように、あらかじめメモリ６０２に記憶されている進行方向情報の中から、退場地点情報と次地点情報との組み合わせに応じた進行方向情報が読み出されることとなる。
【００５４】
送信部１３０３は、携帯端末と通信をおこなうことにより、特定部１３０２によって特定された進行方向情報を携帯端末に送信する機能を有する。具体的には、たとえば、通信Ｉ／Ｆ６０３が、特定された進行方向情報を通信圏内のＩＣカード２００に送信する。これにより、ＩＣカード２００は、送信されてくる進行方向情報を受信し、図１１や図１２に示したように、表示画面２０１に表示することとなる。
【００５５】
（地点間通信装置１００１〜１００３とＩＣカード２００とのシーケンス）
図１４は、本実施の形態にかかる地点間通信装置１００１〜１００３とＩＣカード２００とのシーケンスを示す説明図である。まず、地点間通信装置１００１〜１００３が、通信圏内のＩＣカード２００を検出する（ステップＳ１４０１）。これにより地点間通信装置１００１〜１００３とＩＣカード２００間で非接触通信がおこなわれ、ＩＣカード２００が退場地点情報および次地点情報の組み合わせを地点間通信装置１００１〜１００３に送信する（ステップＳ１４０２）。地点間通信装置１００１〜１００３は、ＩＣカード２００から退場地点情報および次地点情報の組み合わせを受信すると、受信された退場地点情報および次地点情報の組み合わせに応じた進行方向情報を特定する（ステップＳ１４０３）。
【００５６】
そして、進行方向情報をＩＣカード２００に送信する（ステップＳ１４０４）。ＩＣカード２００は、地点間通信装置１００１〜１００３から送信されてくる進行方向情報を受信し、メモリ５０２に保存して、表示画面２０１に表示する（ステップＳ１４０５）。これにより、退場した乗降地点から次に経由する乗降地点までの経路の途中においても、利用者の案内を支援することができる。利用者からすれば、何ら操作入力をすることなく、必要な情報が自動的に入手できることとなる。したがって、利用者にとって利便性の高い情報提供サービスを実現することができる。
【００５７】
以上説明したように、本実施の形態によれば、交通機関の乗り換え時に必要な情報を、利用者に負担をかけず入手したり提供したりすることができる。具体的には、ＩＣカード２００を駅の自動改札機にタッチして退場すると、退場する駅から次に入場する駅やバス停までの地図情報がＩＣカード２００に表示されるため、利用者が操作することなく自動改札機を通過するだけで地図情報を取得できる。
【００５８】
なお、上述した実施の形態では、利用者の携帯端末としてＩＣカード２００を例に挙げて説明したが、たとえば、携帯電話機やスマートフォン、携帯ゲーム機のように、電話機能、電子メール機能、Ｗｅｂブラウザ機能、ゲーム機能、動画再生機能のうち少なくともいずれか一つの機能を有する携帯端末であってもよい。当該携帯端末では、電話機能、電子メール機能、Ｗｅｂブラウザ機能、ゲーム機能、動画再生機能など各種機能のためにディスプレイが備えられているため、本実施の形態の情報表示に用いることができる。
【００５９】
上述した実施の形態に関し、さらに以下の付記を開示する。
【００６０】
（付記１）利用者が乗降する交通機関の乗降地点の入場口または退場口に設けられた通信装置と通信をおこなうコンピュータを、
前記乗降地点を経由する経路内の乗降地点群の各退場口に設けられた通信装置群のうち前記コンピュータが通信圏内にある現在の乗降地点の退場口に設けられた通信装置と前記コンピュータとが通信することにより、前記利用者が前記現在の乗降地点の退場口から退場したことを検出する検出手段、
前記検出手段によって前記現在の乗降地点から退場したことが検出された場合、前記経路内の乗降地点群の中から前記現在の乗降地点の次に経由する次の乗降地点を特定する特定手段、
前記現在の乗降地点の退場口に設けられた通信装置と前記コンピュータとが通信することにより、前記現在の乗降地点から前記特定手段によって特定された次の乗降地点までの経路をあらわす地図情報を取得する取得手段、
前記コンピュータの表示画面を制御することにより、前記取得手段によって取得された前記現在の乗降地点から前記次の乗降地点までの経路をあらわす地図情報を表示する表示制御手段、
として機能させることを特徴とする情報表示プログラム。
【００６１】
（付記２）前記取得手段は、
前記現在の乗降地点から前記次の乗降地点の間に存在する地点間通信装置群のうち前記コンピュータが通信圏内にある特定の地点間通信装置と前記コンピュータとが通信することにより、前記特定の地点間通信装置の位置における前記利用者の進行方向に関する情報を取得し、
前記表示制御手段は、
前記表示画面を制御することにより、前記取得手段によって取得された進行方向に関する情報を表示することを特徴とする付記１に記載の情報表示プログラム。
【００６２】
（付記３）前記コンピュータを、
前記取得手段によって取得された情報を前記コンピュータ内のメモリから消去する消去手段として機能させ、
前記取得手段は、
前記現在の乗降地点から前記次の乗降地点までの経路をあらわす地図情報に先立って、前記現在の乗降地点の前に経由した前の乗降地点から前記現在の乗降地点までの経路をあらわす地図情報を取得し、
前記消去手段は、
前記現在の乗降地点から前記次の乗降地点までの経路をあらわす地図情報が前記表示画面に表示される前に、前記前の乗降地点から前記現在の乗降地点までの経路をあらわす地図情報を前記メモリから消去することを特徴とする付記１または２に記載の情報表示プログラム。
【００６３】
（付記４）利用者が乗降する交通機関の乗降地点の入場口または退場口に設けられた通信装置と通信をおこなう情報表示装置であって、
前記乗降地点を経由する経路内の乗降地点群の各退場口に設けられた通信装置群のうち前記コンピュータが通信圏内にある現在の乗降地点の退場口に設けられた通信装置と前記コンピュータとが通信することにより、前記利用者が前記現在の乗降地点の退場口から退場したことを検出する検出手段と、
前記検出手段によって前記現在の乗降地点から退場したことが検出された場合、前記経路内の乗降地点群の中から前記現在の乗降地点の次に経由する次の乗降地点を特定する特定手段と、
前記現在の乗降地点の退場口に設けられた通信装置と前記コンピュータとが通信することにより、前記現在の乗降地点から前記特定手段によって特定された次の乗降地点までの経路をあらわす地図情報を取得する取得手段と、
前記コンピュータの表示画面を制御することにより、前記取得手段によって取得された前記現在の乗降地点から前記次の乗降地点までの経路をあらわす地図情報を表示する表示制御手段と
を備えることを特徴とする情報表示装置。
【００６４】
（付記５）前記情報表示装置は、前記表示画面にバックライトを使用していないカード型の携帯端末であることを特徴とする付記４に記載の情報表示装置。
【００６５】
（付記６）前記情報表示装置は、前記表示画面の少なくとも一部にタッチ式パネルを搭載しているカード型携帯端末であることを特徴とする付記４または５に記載の情報表示装置。
【００６６】
（付記７）利用者が乗降する交通機関の乗降地点の入場口または退場口に設けられた通信装置と通信をおこなうコンピュータが、
前記乗降地点を経由する経路内の乗降地点群の各退場口に設けられた通信装置群のうち前記コンピュータが通信圏内にある現在の乗降地点の退場口に設けられた通信装置と前記コンピュータとが通信することにより、前記利用者が前記現在の乗降地点の退場口から退場したことを検出する検出工程と、
前記検出工程によって前記現在の乗降地点から退場したことが検出された場合、前記経路内の乗降地点群の中から前記現在の乗降地点の次に経由する次の乗降地点を特定する特定工程と、
前記現在の乗降地点の退場口に設けられた通信装置と前記コンピュータとが通信することにより、前記現在の乗降地点から前記特定工程によって特定された次の乗降地点までの経路をあらわす地図情報を取得する取得工程と、
前記コンピュータの表示画面に、前記取得工程にとって取得された前記現在の乗降地点から前記次の乗降地点までの経路をあらわす地図情報を表示する表示工程と
を実行することを特徴とする情報表示方法。
【００６７】
（付記８）利用者が乗降する交通機関の乗降地点の入場口または退場口に設けられ、前記利用者が所持する携帯端末と通信をおこなうコンピュータを、
前記乗降地点から当該乗降地点の近隣に存在する他の乗降地点までの経路をあらわす地図情報を前記他の乗降地点ごとに記憶する記憶手段、
前記コンピュータの通信圏内の前記携帯端末と通信することにより、前記利用者が前記乗降地点の退場口から退場したことを検出する検出手段、
前記検出手段によって前記利用者が退場したことが検出された場合、前記携帯端末と通信することにより、前記利用者が次に経由する乗降地点に関する情報を取得する取得手段、
前記取得手段によって取得された前記次に経由する乗降地点に関する情報に基づいて、前記記憶手段に記憶されている地図情報の中から、前記乗降地点から前記取得手段によって取得された前記次に経由する乗降地点までの経路をあらわす地図情報を抽出する抽出手段、
前記携帯端末と通信することにより、前記抽出手段によって抽出された前記乗降地点から前記次に経由する乗降地点までの経路をあらわす地図情報を前記携帯端末に送信する送信手段、
として機能させることを特徴とする情報提供プログラム。
【００６８】
（付記９）利用者が乗降する交通機関の乗降地点群のうち近隣の乗降地点間に設けられ、前記利用者が所持する携帯端末と通信をおこなうコンピュータを、
前記コンピュータの通信圏内にある前記携帯端末と通信をおこなうことにより、前記近隣の乗降地点のうち前記利用者が退場した乗降地点および前記利用者が次に入場する乗降地点に関する情報を取得する取得手段、
前記取得手段によって取得された情報に基づいて、前記コンピュータの通信圏内にある前記携帯端末の現在位置から前記入場する乗降地点へ向かう進行方向に関する情報を特定する特定手段、
前記携帯端末と通信をおこなうことにより、前記特定手段によって特定された進行方向に関する情報を前記携帯端末に送信する送信手段、
として機能させることを特徴とする情報提供プログラム。
【００６９】
（付記１０）利用者が乗降する交通機関の乗降地点の入場口または退場口に設けられ、前記利用者が所持する携帯端末と通信をおこなう情報提供装置であって、
前記乗降地点から当該乗降地点の近隣に存在する他の乗降地点までの経路をあらわす地図情報を前記他の乗降地点ごとに記憶する記憶手段と、
前記情報提供装置の通信圏内の前記携帯端末と通信することにより、前記利用者が前記乗降地点の退場口から退場したことを検出する検出手段と、
前記検出手段によって前記利用者が退場したことが検出された場合、前記携帯端末と通信することにより、前記利用者が次に経由する乗降地点に関する情報を取得する取得手段と、
前記取得手段によって取得された前記次に経由する乗降地点に関する情報に基づいて、前記記憶手段に記憶されている地図情報の中から、前記乗降地点から前記取得手段によって取得された前記次に経由する乗降地点までの経路をあらわす地図情報を抽出する抽出手段と、
前記携帯端末と通信することにより、前記抽出手段によって抽出された前記乗降地点から前記次に経由する乗降地点までの経路をあらわす地図情報を前記携帯端末に送信する送信手段と
を備えることを特徴とする情報提供装置。
【００７０】
（付記１１）利用者が乗降する交通機関の乗降地点群のうち近隣の乗降地点間に設けられ、前記利用者が所持する携帯端末と通信をおこなう情報提供装置であって、
前記情報提供装置の通信圏内にある前記携帯端末と通信をおこなうことにより、前記近隣の乗降地点のうち前記利用者が退場した乗降地点および前記利用者が次に入場する乗降地点に関する情報を取得する取得手段と、
前記取得手段によって取得された情報に基づいて、前記情報提供装置の通信圏内にある前記携帯端末の現在位置から前記入場する乗降地点へ向かう進行方向に関する情報を特定する特定手段と、
前記携帯端末と通信をおこなうことにより、前記特定手段によって特定された進行方向に関する情報を前記携帯端末に送信する送信手段と
を備えることを特徴とする情報提供装置。
【００７１】
（付記１２）利用者が乗降する交通機関の乗降地点の入場口または退場口に設けられ、前記利用者が所持する携帯端末と通信をおこなうコンピュータが、
前記情報提供装置の通信圏内の前記携帯端末と通信することにより、前記利用者が前記乗降地点の退場口から退場したことを検出する検出工程と、
前記検出工程によって前記利用者が退場したことが検出された場合、前記携帯端末と通信することにより、前記利用者が次に経由する乗降地点に関する情報を取得する取得工程と、
前記取得工程によって取得された前記次に経由する乗降地点に関する情報に基づいて、前記乗降地点から当該乗降地点の近隣に存在する他の乗降地点までの経路をあらわす地図情報を前記他の乗降地点ごとに記憶するデータベースの中から、前記乗降地点から前記取得工程によって取得された前記次に経由する乗降地点までの経路をあらわす地図情報を抽出する抽出工程と、
前記携帯端末と通信することにより、前記抽出工程によって抽出された前記乗降地点から前記次に経由する乗降地点までの経路をあらわす地図情報を前記携帯端末に送信する送信工程と
を実行することを特徴とする情報提供方法。
【００７２】
（付記１３）利用者が乗降する交通機関の乗降地点群のうち近隣の乗降地点間に設けられ、前記利用者が所持する携帯端末と通信をおこなうコンピュータが、
前記情報提供装置の通信圏内にある前記携帯端末と通信をおこなうことにより、前記近隣の乗降地点のうち前記利用者が退場した乗降地点および前記利用者が次に入場する乗降地点に関する情報を取得する取得工程と、
前記取得工程によって取得された情報に基づいて、前記情報提供装置の通信圏内にある前記携帯端末の現在位置から前記入場する乗降地点へ向かう進行方向に関する情報を特定する特定工程と、
前記携帯端末と通信をおこなうことにより、前記特定工程によって特定された進行方向に関する情報を前記携帯端末に送信する送信工程と
を実行することを特徴とする情報提供方法。
【図面の簡単な説明】
【００７３】
【図１】経路の概要を示す説明図である。
【図２】本実施の形態にかかるＩＣカードを示す説明図である。
【図３】本実施の形態にかかるＩＣカードに表示される地図情報の一例（その１）を示す説明図である。
【図４】本実施の形態にかかるＩＣカードに表示される地図情報の一例（その２）を示す説明図である。
【図５】本実施の形態にかかるＩＣカードのハードウェア構成を示すブロック図である。
【図６】本実施の形態にかかるＩＣカードの通信相手となる通信装置のハードウェア構成を示すブロック図である。
【図７】本実施の形態にかかるＩＣカードの機能的構成を示すブロック図である。
【図８】本実施の形態にかかる通信装置の機能的構成を示すブロック図である。
【図９】本実施の形態にかかる通信装置とＩＣカードとのシーケンスを示す説明図である。
【図１０】本実施の形態にかかる退場口の乗降地点から次に経由する乗降地点までの経路をあらわす地図を示す説明図である。
【図１１】本実施の形態にかかるＩＣカードの表示画面に表示された進行方向情報を示す説明図である。
【図１２】本実施の形態にかかるＩＣカードの表示画面に表示された進行方向情報を示す説明図である。
【図１３】本実施の形態にかかる地点間通信装置の機能的構成を示すブロック図である。
【図１４】本実施の形態にかかる地点間通信装置とＩＣカードとのシーケンスを示す説明図である。
【符号の説明】
【００７４】
２００  ＩＣカード
２０１  表示画面
３００，４００  地図情報
７０１  検出部
７０２  特定部
７０３  取得部
７０４  表示部
７０５  表示制御部
７０６  消去部
【図１】
2010157063.tif 000003
【図２】
2010157063.tif 000004
【図３】
2010157063.tif 000005
【図４】
2010157063.tif 000006
【図５】
2010157063.tif 000007
【図６】
2010157063.tif 000008
【図７】
2010157063.tif 000009
【図８】
2010157063.tif 000010
【図９】
2010157063.tif 000011
【図１０】
2010157063.tif 000012
【図１１】
2010157063.tif 000013
【図１２】
2010157063.tif 000014
【図１３】
2010157063.tif 000015
【図１４】
2010157063.tif 000016